(57)【要約】【課題】簡易な構成で、容易且つ確実に着火可能な蝋燭を提供する。【解決手段】本発明の蝋燭１は、着火材６ａが付着された芯６を備える蝋燭体１０と、前記芯６の軸線方向に摺動可能に取り付けられる摺動体８と、を具備し、前記摺動体８の移動による摩擦熱で前記着火材６ａを発火させて前記芯６に着火させる。【選択図】図１
2008201845.tif 000002
【特許請求の範囲】
【請求項１】
着火材が付着された芯を備える蝋燭体と、
前記芯の軸線方向に摺動可能に取り付けられる摺動体と、
を具備し、
前記摺動体の移動による摩擦熱で前記着火材を発火させて前記芯に着火させることを特徴とする蝋燭。
【請求項２】
前記着火材と摺動体とは重ならないように配置されることを特徴とする請求項１に記載の蝋燭。
【発明の詳細な説明】
【技術分野】
【０００１】
本願は、蝋燭に関し、特に、着火機能を備えた蝋燭に関する。
【背景技術】
【０００２】
一般に、蝋燭は、所定の形状に固化されて形成されたロウ本体と、当該ロウ本体の略中心部に立設された芯と、を含んで構成されており、当該芯にライターなどで着火することによって、当該ロウを燃焼させながら、火がついた状態を保持するものである。
【０００３】
当該蝋燭は、様々な形態で使用されており、例えば、結婚式における披露宴などの演出としてのキャンドルサービスに適用される。
【発明の開示】
【発明が解決しようとする課題】
【０００４】
しかしながら、当該蝋燭の使用においては、必ず火種が必要となり、当該火種となるライターやマッチなどを携帯しておく必要があるが、結構、ライターなどを忘れることが多い。
【０００５】
また、蝋燭の芯に着火する際には、火種を少しの間近づけた状態で保持する必要があり、周囲の風などの影響を受けて確実に着火できない場合も多い。
【０００６】
本願は上記各問題点の解決を課題の一例として為されたもので、簡易な構成で、容易且つ確実に着火可能な蝋燭を提供することを目的とする。
【課題を解決するための手段】
【０００７】
上記課題を解決するために、請求項１に記載の蝋燭（１）は、着火材（６ａ）が付着された芯（６）を備える蝋燭体（１０）と、前記芯の軸線方向に摺動可能に取り付けられる摺動体（８）と、を具備し、前記摺動体の移動による摩擦熱で前記着火材を発火させて前記芯に着火させることを特徴とする。
【０００８】
また、請求項２に記載の蝋燭は、請求項１に記載の蝋燭において、前記着火材と摺動体とは重ならないように配置されることを特徴とする。
【発明の効果】
【０００９】
本発明に係る蝋燭によれば、着火機能を芯に取り付けるようにしたので、簡単な構成でありながら、容易且つ確実に蝋燭の芯に着火可能となっている。
【００１０】
また、着火材と摩擦体とが所定の間隔を有して重ならないように設けられているため、輸送時などに誤って着火するなどの危険を防止可能となっている。
【発明を実施するための最良の形態】
【００１１】
以下、本願の最良の実施形態について、図１乃至図４を用いて詳細に説明する。図１は本願の蝋燭の全体構造図、図２は蝋燭の構造を示す断面図、図３はつまみの構造を示す展開図、図４は蝋燭の芯に着火させる際の説明図である。
【００１２】
本願の蝋燭は、例えば、以下の実施形態に示すように、結婚式の披露宴などのキャンドル１として使用されるものである。当該キャンドル１は、図示しないが、一般的に披露宴会場の各卓上に載置される。
【００１３】
キャンドル１は、図１及び図２に示すように、上端部に開口２ａを有する有底円筒状の容器本体２と、当該容器本体２に流し込まれて固定されたロウ４と、当該ロウ４の略中心部に立設された綿紐製の芯６と、当該芯６の先端部に設けられたハート型のつまみ８と、を含んで構成されている。当該ロウ４と芯６とによって、蝋燭体１０を構成する。
【００１４】
容器本体２は、例えば、汎用されている耐熱性合成樹脂（ポリカーボネートなど）などやアルミニウム板やステンレス薄板などを用いて形成される。
【００１５】
このようにロウ４を収容する容器本体２を設けることによって、見栄えを良くできる。また、耐熱性合成樹脂などを用いることにより、入手容易であるためコストをさほど高めることなく見栄えを良くし、また軽量、耐熱性であるため持ち運びに便利である。
【００１６】
ロウ４は、当該容器本体２の外周上面よりも低い位置まで流し込まれて固化されている。これにより、容器本体２の外周壁２ｂは、横方向からの風などを防ぐ壁として機能し、芯６に着火される炎が消えにくくなるとともに、芯６に着火し易くなっている。
【００１７】
なお、一般に容器本体２の外周壁２ｂを高くとりすぎると、ライターなどで芯６に着火しにくくなり不具合を生じるが、本願は、ライターなどで着火する（火種の）必要がないため、外周壁２ｂを高くとる構成をとることが可能となる。
【００１８】
また、容器本体２を設けずに、ロウ４を所定の型に流して固化することによって所定の形状（例えば、花の形など）に成形しても構わない。このようにロウ４は成形が容易なため、コストを低減できるとともに、安易に装飾性の高い製品を製造することが可能である。なお、容器本体２を設けない場合には、ロウ４により成形された外周部を高くすることで、着火後の炎を安定して維持することが可能となる。
【００１９】
また、つまみ８は、例えば、図３に示すように、略ハート型の紙体８ａが重ね合わされて形成され、芯６に接着剤等を用いて接着された状態で取り付けられている。このつまみ８の接着力は弱く、容易に前記芯６の軸線方向に移動可能である。当該紙体８ａの中央下端部には、芯６とこすり合わされる摩擦体１５を備えている。摩擦体１５は、例えば、ガラスなどを微細粉末したものといっしょに発火温度の高い赤燐を混合したものを塗布して形成されている。なお、摩擦体１５は、単に市販の紙やすりなどを貼着するようにしても構わない。
【００２０】
なお、本実施形態のつまみ８は、本願の摺動体として機能するものである。
【００２１】
芯６は、例えば、下端を係止する係止錘６ａに取り付けられ、当該芯６の上端部には、着火材６ｂがコーティング（塗布）されている。当該着火材６ｂは、例えば、発火温度の低い硫黄を主成分として、塩素酸カリ、松脂、珪藻土、顔料・染料などを混合して形成されている。場合によっては赤燐を多少混合するなどしても構わない。
【００２２】
また、図示しないが、芯６の下端部に、トルエン、リン、鉄などを混合して形成される花火材をコーティングするようにしても構わない。このようにすれば、キャンドル１の芯６に着火された後、キャンドル１の周囲に線香花火のような火花を発生させることが可能となり、例えば、結婚披露宴などにおいて、キャンドル１を単に灯火として機能させるだけでなく、招待客に対しての演出効果として機能させることが可能となる。
【００２３】
また、芯５の下端は係止錘６ａにより係止されているので、ロウ４の溶融により、残量が少なくなった場合でも、芯６が横倒しになってしまうことを避けることが可能となっている。これにより、最後まで炎を安定して維持できる。
【００２４】
次に、蝋燭体の芯への着火動作について説明する。
【００２５】
蝋側体１０を手で固定した状態で、図４に示すように、つまみ８を上方に引っ張る。この動作によって、芯６の先端部に付着された着火材６ｂとしての硫黄がつまみ８の移動により摩擦体１５と摩擦され、その摩擦熱により発火するとともに、つまみ８に塗布された赤燐に引火し、芯６に着火される。
【００２６】
この時、使用者は、芯６が通過している部分のつまみ８を持つことによって、より摩擦力を高めることが可能となり、着火不良を起こす可能性を低くできる。また、つまみを上方へ引っ張るだけで着火可能であるため、お年寄りや子どもなどでも容易に着火することが可能となる。また、着火された炎は、容器本体２の外周壁２ｂにより周囲が囲まれた状態となるため、当該蝋燭体１０の周囲に多少の風が吹いても、当該炎は安定して燃え続ける。
【００２７】
以上に説明したように、本実施形態のキャンドル１は、着火機能を芯６に一体的に備え、つまみ８を上方に引っ張るだけで、キャンドル１の芯６に着火可能となっているので、簡単な構成でありながら、容易且つ確実にキャンドル１の芯６に着火可能となっている。
【００２８】
また、キャンドル１の外周部分が高くなっているため、着火後の炎が周囲の風の影響を受けにくく、例えば、多少の風が吹いていても安定して着火した状態を維持可能となっている。
【００２９】
さらに、着火材６ｂと摩擦体１５とが所定の間隔を有して重ならないように配置されているため、輸送時などに誤って着火するなどの危険を防止可能となっている。
【００３０】
なお、本実施形態は一形態であって、この形態に限定されるものではない。例えば、容器本体２は、花の形をかたどってロウにより一体的に形成されても構わない。また、本実施形態では、蝋燭を結婚式の披露宴でのキャンドルサービスに適用したものであるが、どのような形態で適用しても構わない。
【００３１】
また、上記では、ロウ燃焼用の芯６として、綿紐芯を使用したが、これに代えて、例えば、綿紐と金属細線とを直線状に撚り合わせた芯や、これらにガラス繊維を加えてなる芯等を用いることも可能である。なお、ガラス繊維を加えるのは摩擦熱を高めるためである。
【図面の簡単な説明】
【００３２】
【図１】本願の蝋燭の全体構造図である。
【図２】蝋燭の構造を示す断面図である。
【図３】摩擦部材の構造を示す展開図である。
【図４】蝋燭の芯に着火させる際の説明図である。
【符号の説明】
【００３３】
１  蝋燭
６  芯
６ａ  着火材
８  摺動体
１０  蝋燭体
【図１】
2008201845.tif 000003
【図２】
2008201845.tif 000004
【図３】
2008201845.tif 000005
【図４】
2008201845.tif 000006